(57)【要約】【課題】複数本を携帯する場合でも全体がコンパクト化し携帯に便利となり、しかも、複数本を携帯する場合でも使用前に筆記具を探す手間が不要になるサイドスライド式筆記具を提供する。【解決手段】軸筒２の内部に筆記体４を前後方向に移動可能に収容する。筆記体４を後方に付勢する弾発体６を軸筒２内に収容する。軸筒２の側壁に前後方向に延びる窓孔２４を設ける。軸筒２の前端に筆記体４のペン先４１が出没可能な前端孔２３を設ける。筆記体４の後端に操作体５を連結し、窓孔２４から径方向外方に操作体５の操作部５１を突出させる。操作体５の操作部５１を窓孔２４に沿って前方にスライドさせることにより、筆記体４のペン先４１を軸筒２の前端孔２３より外部に突出させる。軸筒２の外面に他の軸筒９の外面と連結可能な連結部８を設けた。【選択図】  図１
2011088419.tif 000002
【特許請求の範囲】
【請求項１】
軸筒の内部に筆記体を前後方向に移動可能に収容し、前記筆記体を後方に付勢する弾発体を前記軸筒内に収容し、前記軸筒の側壁に前後方向に延びる窓孔を設け、前記軸筒の前端に筆記体のペン先が出没可能な前端孔を設け、前記筆記体の後端に操作体を連結し、前記窓孔から径方向外方に前記操作体の操作部を突出させ、前記操作体の操作部を窓孔に沿って前方にスライドさせることにより、前記筆記体のペン先を軸筒の前端孔より外部に突出させてなるサイドスライド式筆記具であって、
前記軸筒の外面に他の軸筒の外面と連結可能な連結部を設けたことを特徴とするサイドスライド式筆記具。
【請求項２】
前記軸筒が、横断面が略四角形であるとともに４つの平面状の側壁を備え、前記４つの平面状の側壁の中で窓孔を備えない側壁と、他の軸筒の側壁とを接合してなる請求項１記載のサイドスライド式筆記具。
【請求項３】
前記４つの平面状の側壁の中で窓孔を備えない、対向する２つの側壁に連結部を設けた請求項２記載のサイドスライド式筆記具。
【請求項４】
前記連結部が、他の軸筒の凹部に嵌合可能な凸部または他の軸筒の凸部に嵌合可能な凹部である請求項１乃至３の何れかに記載のサイドスライド式筆記具。
【請求項５】
前記連結部が、他の軸筒に吸着可能なマグネットからなる請求項１乃至３の何れかに記載のサイドスライド式筆記具。
【請求項６】
前記連結部が、軸筒の側壁に形成した凹部と、前記凹部と他の軸筒に形成した凹部とに係合する連結部材とからなる請求項１または２記載のサイドスライド式筆記具。
【請求項７】
前記連結部が、軸筒の側壁に形成した凸部と、前記凸部と他の軸筒に形成した凸部とを挟持する連結部材とからなる請求項１または２記載のサイドスライド式筆記具。
【発明の詳細な説明】
【技術分野】
【０００１】
本発明は、サイドスライド式筆記具に関する。詳細には、軸筒の側壁に前後方向に延びる窓孔を設け、前記窓孔から外方に突出する操作部を、窓孔に沿って前方にスライドさせることにより、筆記体のペン先を軸筒の前端孔より外部に突出させてなるサイドスライド式筆記具に関する。
【背景技術】
【０００２】
従来、例えば、特許文献１には、外装体に摺動可能に取り付けられた操作体を摺動操作することにより、外装体内部に収納された先端にペン先を有する複数のレフィルを交互に外装体の先端より出没させてなるサイドスライド式の多芯筆記具が開示されている。
【先行技術文献】
【特許文献】
【０００３】
【特許文献１】特開平９−２０７４９４号公報
【発明の概要】
【発明が解決しようとする課題】
【０００４】
前記文献１のサイドスライド筆記具では、多種類の筆記体を使用するユーザーにとって、複数本のサイドスライド式筆記具を携帯する必要があり、前記複数本を一つのポケットやペンケース等に収納する際、嵩張り、携帯に不便である。また、前記文献１のサイドスライド筆記具は、複数本を携帯する場合、使用する筆記具を探す手間を要する。
【０００５】
本発明は、前記従来の問題点を解決するものであって、複数本を携帯する場合でも全体がコンパクト化し携帯に便利となり、しかも、複数本を携帯する場合でも使用前に筆記具を探す手間が不要になるサイドスライド式筆記具を提供しようとするものである。
尚、本発明において、「前」とはペン先側を指し、「後」とはその反対側を指す。
【課題を解決するための手段】
【０００６】
＜１＞本願の第１の発明は、軸筒２の内部に筆記体４を前後方向に移動可能に収容し、前記筆記体４を後方に付勢する弾発体６を前記軸筒２内に収容し、前記軸筒２の側壁に前後方向に延びる窓孔２４を設け、前記軸筒２の前端に筆記体４のペン先４１が出没可能な前端孔２３を設け、前記筆記体４の後端に操作体５を連結し、前記窓孔２４から径方向外方に前記操作体５の操作部５１を突出させ、前記操作体５の操作部５１を窓孔２４に沿って前方にスライドさせることにより、前記筆記体４のペン先４１を軸筒２の前端孔２３より外部に突出させてなるサイドスライド式筆記具であって、前記軸筒２の外面に他の軸筒９の外面と連結可能な連結部８を設けたことを要件とする。
【０００７】
前記第１の発明のサイドスライド式筆記具１は、軸筒２の外面に他の軸筒９の外面と連結可能な連結部８を設けたことにより、軸筒２を他の筆記具の軸筒２と連結状態にでき、それにより、複数本を携帯する場合でも全体がコンパクト化し携帯に便利となり、しかも、複数本を携帯する場合でも使用前に筆記具を探す手間が不要になる。
【０００８】
＜２＞本願の第２の発明は、前記第１の発明のサイドスライド式筆記具１において、前記軸筒２が、横断面が略四角形であるとともに４つの平面状の側壁を備え、前記４つの平面状の側壁の中で窓孔２４を備えない側壁２１と他の軸筒９の側壁９１とを接合してなることを要件とする。
【０００９】
前記第２の発明のサイドスライド式筆記具１は、軸筒２が、横断面が略四角形であるとともに４つの平面状の側壁を備え、前記４つの平面状の側壁の中で窓孔２４を備えない側壁２１と他の軸筒９の側壁９１とを接合してなることにより、軸筒２と他の筆記具の軸筒９とが連結状態においても操作体５をスライド操作でき、筆記使用が可能となるとともに、連結状態にある軸筒２と他の筆記具の軸筒９との間に無駄な空間を少なくでき、連結状態の２つの軸筒２全体をコンパクトにできる。
【００１０】
＜３＞本願の第３の発明は、前記第２の発明のサイドスライド式筆記具１において、前記４つの平面状の側壁の中で窓孔２４を備えない、対向する２つの側壁２１に連結部８を設けたことを要件とする。
【００１１】
前記第３の発明のサイドスライド式筆記具１は、４つの平面状の側壁の中で窓孔２４を備えない、対向する２つの側壁２１に連結部８を設けたことにより、窓孔２４を備えない側壁２と他の筆記具の軸筒９とを容易に接合させることができる。
【００１２】
＜４＞本願の第４の発明は、前記第１、第２または第３の発明のサイドスライド式筆記具１において、前記連結部８が、他の軸筒９の凹部８２に嵌合可能な凸部８１または他の軸筒９の凸部８１に嵌合可能な凹部８２であることを要件とする。
【００１３】
前記第４の発明のサイドスライド式筆記具１は、連結部８が、他の軸筒９の凹部８２に嵌合可能な凸部８１または他の軸筒９の凸部８１に嵌合可能な凹部８２であることにより、簡易な構造で着脱が容易となる。
【００１４】
＜５＞本願の第５の発明は、前記第１、第２または第３の発明のサイドスライド式筆記具１において、前記連結部８が、他の軸筒９に吸着可能なマグネット８３からなることを要件とする。
【００１５】
前記第５の発明のサイドスライド式筆記具１は、前記連結部８が、他の軸筒９に吸着可能なマグネット８３からなることにより、簡易な構造で着脱が容易となる。
【００１６】
＜６＞本願の第６の発明は、前記第１または第２の発明のサイドスライド式筆記具１において、前記連結部８が、軸筒２の側壁に形成した凹部８２と、前記凹部８２と他の軸筒９に形成した凹部８２とに係合する連結部材８５とからなることを要件とする。
【００１７】
前記第６の発明のサイドスライド式筆記具１は、連結部８が、軸筒２の側壁に形成した凹部８２と、前記凹部８２と他の軸筒９に形成した凹部８２とに係合する連結部材８５とからなることにより、軸筒２と他の軸筒９との強固な連結状態を維持できる。
【００１８】
＜７＞本願の第７の発明は、前記第１または第２の発明のサイドスライド式筆記具１において、前記連結部８が、軸筒２の側壁に形成した凸部８１と、前記凸部８１と他の軸筒９に形成した凸部８１とを挟持する連結部材８５とからなることを要件とする。
【００１９】
前記第７の発明のサイドスライド式筆記具１は、連結部８が、軸筒２の側壁に形成した凸部８１と、前記凸部８１と他の軸筒９に形成した凸部８１とを挟持する連結部材８５とからなることにより、軸筒２と他の軸筒９との強固な連結状態を維持できる。
【発明の効果】
【００２０】
本発明のサイドスライド式筆記具は、複数本を携帯する場合でも全体がコンパクト化し携帯に便利となり、しかも、複数本を携帯する場合でも使用前に筆記具を探す手間が不要になる。
【図面の簡単な説明】
【００２１】
【図１】本発明の実施の形態の非筆記時（両方のペン先が没入状態）の縦断面図である。
【図２】図１の筆記時（片方のペン先が突出状態）の縦断面図である。
【図３】連結部の第１の実施の形態を示す図１のＡ−Ａ線断面図である。
【図４】図３の軸筒と他の筆記具の軸筒との連結状態を示す横断面図である。
【図５】連結部の第２の実施の形態を示す図１のＡ−Ａ線断面図である。
【図６】図５の軸筒と他の筆記具の軸筒との連結状態を示す横断面図である。
【図７】連結部の第３の実施の形態の軸筒と他の筆記具の軸筒との連結状態を示す横断面図である。
【図８】連結部の第４の実施の形態の軸筒と他の筆記具の軸筒との連結状態を示す横断面図である。
【発明を実施するための形態】
【００２２】
図１及び図８に本発明の実施の形態を示す。
図１及び図２に本発明の実施の形態の縦断面図を示す。図３及び図４に連結部８の第１の実施の形態を示し、図５及び図６に連結部８の第２の実施の形態を示し、図７に連結部８の第３の実施の形態を示し、図８に連結部８の第４の実施の形態を示す。図３乃至図８の実施の形態の他の構成は、何れも図１及び図２の実施の形態が採用される。
【００２３】
図１及び図２に示すように、本実施の形態のサイドスライド式筆記具１は、軸筒２内に２本の筆記体４が前後方向に移動可能に収容されている。前記各々の筆記体４は、弾発体６（具体的には圧縮コイルスプリング）により、後方に付勢されている。尚、本発明において、軸筒２内に収容する筆記体４の本数は、１本でもよいし、２本以上（複数本）でもよい。
【００２４】
・軸筒
前記軸筒２は、扁平状（横断面が略長方形状）であり、扁平状の前軸２ａと、該前軸２ａの後端部と連結される扁平状の後軸２ｂとからなる。前記前軸２ａ及び後軸２ｂは、合成樹脂（例えば、ポリカーボネイト等）の射出成形により得られる。本実施の形態では、前軸２ａと後軸２ｂは、弾発体支持部材７を介して連結される。
【００２５】
前記軸筒２(前軸２ａ及び後軸２ｂ)は、大面積を有する一対の大側壁２１と、小面積を有する一対の小側壁２２とからなる側壁を備える。前記前軸２ａの前端には、筆記体４のペン先４１が突出可能な２個の前端孔２３が前後方向に貫設される。前記２個の前端孔２３は、ペン先下向きで大側壁２１を正面視したときの大側壁２１の中心線に対して左右対称位置に設けられる。本発明は、これ以外にも、前記前端孔２３は大側壁２１の中心線上に１個、設ける構成であってもよい。
【００２６】
前記軸筒２（後軸２ｂ）の後部の各々小側壁２２には、前後方向に延びる細長状の窓孔２４が、径方向に貫設される。前記２本の窓孔２４は、互いに、大側壁２１の中心線に対して左右対称位置に形成される。また、前記軸筒２（後軸２ｂ）の後端部には、前後方向に貫通し且つ径方向外方に開口する開口部が形成される。前記開口部は、軸筒２の後端（即ち後軸２ｂの後端）において窓孔２４と連通され、それにより、窓孔２４後端が後方に切り欠かれ後方に開口されている。前記開口部を通して、筆記体４及び操作体５が互いに連結状態で、軸筒２内から取り出し可能且つ軸筒２内に挿入可能である。
【００２７】
前記後軸２ｂの窓孔２４の相互間の各々の大側壁２１内面には、前後方向に延びるリブよりなる係止壁部２５が形成され、前記係止壁部２５に、ペン先４１が突出した際の筆記体４の操作体５の後端が係止される。前記係止壁部２５は、後軸２ｂ４内壁と一体に形成されてもよいし、後軸２ｂ内壁に取り付けた別部材により形成してもよい。
【００２８】
・蓋部
前記後軸２ｂの後端部には、前記開口部を開閉自在にする蓋部３が回動自在に設けられる。前記蓋部３の前面には、当接壁部３１が形成される。前記当接壁部３１に、ペン先没入状態の筆記体４６の後端に連結された各々の操作体５の後端が当接される。
【００２９】
・筆記体
前記各々の筆記体４は、ボールペンレフィルであり、前端にボールが回転可能に抱持されたボールペンチップ（即ちペン先４１）と、該ボールペンチップを前端に備え且つ後端が開口されたインキ収容管４２からなる。前記インキ収容管４２の内部には、インキと、該インキの後端に配置され且つ該インキの消費に従って前進する高粘度流体からなる追従体が充填される。
【００３０】
また、前記ボールペンチップは、前端に回転可能に抱持されたボールを弾発体等により前方に付勢し、前端縁部の内面にボールを密接させる構成でもよい。また、ボールペンチップは、インキ収容管４２の前端開口部に圧入等により直接、取り付けてもよいが、本実施の形態ではペン先ホルダーを介してインキ収容管４２の前端開口部に固着される。
【００３１】
尚、本発明で、筆記体４は、ボールペン以外にも、例えば、マーキングペン、サインペン、万年筆、シャープペンシル、感圧式入力装置に用いる入力ペン等が挙げられる。
【００３２】
・操作体
前記各々の筆記体４の後端（即ちインキ収容管４２の後端開口部）には、操作体５が取り付けられる。前記各々の操作体５は、後端部に形成され且つ軸筒２の窓孔２４から外部に突出する操作部５１と、該操作部５１の反対側に設けられる後側突出部５３と、該操作部５１の反対側の後側突出部５３の前方に設けられる前側突出部５２と、前端部に形成され且つインキ収容管４２の後端開口部に嵌入される嵌入部５４と、該嵌入部５４の後方に形成される鍔部５５とを備える。前記嵌入部５４は、インキ収容管４２の後端開口部に嵌入された際、インキ収容管４２の後端開口部を完全には塞がず、インキ収容管４２の内部と外部とを通気可能にする。また、前記鍔部５５の前面には、弾発体６の後端が係止される。また、前記操作体５の両方の側面には係止突起（図示せず）が形成される。前記係止突起は窓孔２４の両方の側壁内面に係合可能である。
【００３３】
筆記体４のペン先４１が没入状態のとき、その筆記体４に取り付けられた操作体５の後端部は、蓋部３の前面に形成された当接壁部３１に当接される。一方、筆記体４のペン先４１が突出状態のとき、その筆記体４に取り付けられた操作体５の後端部は、軸筒２の内壁に形成された係止壁部２５に係止される。
【００３４】
ペン先没入状態にある筆記体４の後端に連結された操作体５の前側突出部５２は、その操作体５の操作部５１を前方にスライド操作した際、先にペン先突出状態にある他の筆記体４の後端に連結された操作体５の後側突出部５３と当接され、他の筆記体４のペン先突出状態が解除される。
【００３５】
前記各々の操作体５は、連結される筆記体４の内部（即ちインキ収容管４２内部）に収容されたインキの色と略同じ色に着色される。具体的には、前記操作体５の各々は、連結される筆記体４のインキ色と略同じ色に着色された合成樹脂の成形体からなる。
【００３６】
・弾発体支持部材
軸筒２の内壁（即ち後軸２ｂの内壁及び前軸２ａの内壁）には、弾発体支持部材７が設けられる。前記弾発体支持部材７は、筆記体４が挿通される２個の内孔７１が前後方向に貫設されている。前記弾発体支持部材７の後面と、各々の操作体５の鍔部５５の前面との間には、弾発体６が配置される。前記各々の弾発体６の内部に筆記体４が遊挿されるとともに、各々の弾発体６の前端は弾発体支持部材７の後面により係止され、各々の弾発体６の後端は操作体５の鍔部５５の前面に係止される。
【００３７】
前記各々の弾発体６は、各々の操作体５（即ち各々の筆記体４）を、常時、後方に付勢している。前記各々の弾発体６は、ペン先突出状態及びペン先没入状態のいずれにおいても圧縮状態（即ち筆記体４６が後方に付勢された状態）にあり、それにより、各々の操作体５の前後のがたつきが防止される。
【００３８】
＜連結部の第１の実施の形態＞
図３及び図４に連結部８の第１の実施の形態を示す。
【００３９】
本実施の形態の連結部８は、他の軸筒９の凹部８２に嵌合可能な凸部８１と、他の軸筒９の凸部８１に嵌合可能な凹部８２とからなる。軸筒２の一方の大側壁２１には、凸部８１よりなる連結部８が形成され、他方の大側壁２１には、凹部８２よりなる連結部８が形成される。即ち、前記４つの平面状の側壁の中で窓孔２４を備えない、対向する２つの側壁（大側壁２１）に連結部８が設けられる。
【００４０】
前記軸筒２と同一の軸筒９を備えた他のサイドスライド式筆記具を用意し、前記軸筒２の凸部８１と他の軸筒９の凹部８２とを嵌合させるか、または、前記軸筒２の凹部８２と他の軸筒９の凸部８１とを嵌合させることにより、軸筒２の大側壁２１と他の軸筒９の大側壁９１とを接合させ、着脱自在に連結できる。
【００４１】
＜連結部の第２の実施の形態＞
図５及び図６に連結部８の第２の実施の形態を示す。
【００４２】
本実施の形態の連結部８は、連結部８が、他の軸筒９に吸着可能なマグネット８３からなる。軸筒２の一方の大側壁２１には、マグネット８３よりなる連結部８が形成され、他方の大側壁２１には、金属板８４よりなる連結部８が形成される。即ち、前記４つの平面状の側壁の中で窓孔２４を備えない対向する２つの側壁（大側壁２１）に連結部８が設けられる。
【００４３】
前記軸筒２と同一の軸筒９を備えた他のサイドスライド式筆記具を用意し、前記軸筒２のマグネット８３と他の軸筒９の金属板８４とを吸着させるか、または、前記軸筒２の金属板８４と他の軸筒９のマグネット８３とを嵌合させることにより、軸筒２の大側壁２１と他の軸筒９の大側壁９１とを接合させ、着脱自在に連結できる。
【００４４】
また、前記マグネット８３が一方の大側壁２１に凸設され、前記金属板８４が他方の大側壁９１に凹設されるか、または、前記マグネット８３が一方の大側壁２１に凹設され、前記金属板８４が他方の大側壁９１に凸設される。それにより、一方の軸筒２のマグネット８３と他方の軸筒９の金属板８４とを吸着させた際、軸筒２の大側壁２１と他の軸筒９の大側壁９１とを確実に接合させることが可能となる。
【００４５】
＜連結部の第３の実施の形態＞
図７に連結部８の第３の実施の形態を示す。
【００４６】
本実施の形態の連結部８は、軸筒２の側壁に形成した凹部８２と、前記凹部８２と他の軸筒９に形成した凹部８２とに係合する連結部材８５とからなる。
【００４７】
軸筒２の対向する一対の小側壁２２には、凹部８２がそれぞれ形成される。両端に凸部８１を備えた２つの連結部材８５を用意し、軸筒２の大側壁２１と他の軸筒９の大側壁９１とを接合させるとともに、軸筒２の小側壁２２の凹部８２と他の軸筒９の小側壁９２の凹部８２とに連結部材８５の凸部８１を嵌合させ、軸筒２と他の軸筒９とを連結する。
【００４８】
＜連結部の第４の実施の形態＞
図８に連結部８の第４の実施の形態を示す。
【００４９】
本実施の形態の連結部８は、軸筒２の側壁に形成した凸部８１と、前記凸部８１と他の軸筒９に形成した凸部８１とを挟持する連結部材８５とからなる
【００５０】
軸筒２の対向する一対の小側壁２２の大側壁２１側の一方の端部には、凸部８１がそれぞれ形成される。両端に凸部８１を備えた２つの連結部材８５を用意し、軸筒２の大側壁２１と他の軸筒９の大側壁９１とを接合させるとともに、軸筒２の小側壁２２の凸部８１と他の軸筒９の小側壁９２の凸部８１とに連結部材８５の凸部８１を係合させ、軸筒２と他の軸筒９とを連結する。
【符号の説明】
【００５１】
１  サイドスライド式筆記具
２  軸筒
２ａ  前軸
２ｂ  後軸
２１  大側壁
２２  小側壁
２３  前端孔
２４  窓孔
２５  係止壁部
３  蓋部
３１  当接壁部
４  筆記体
４１  ペン先（ボールペンチップ）
４２  インキ収容管
５  操作体
５１  操作部
５２  前側突出部
５３  後側突出部
５４  嵌入部
５５  鍔部
６  弾発体
７  弾発体支持部材
７１  内孔
８  連結部
８１  凸部
８２  凹部
８３  マグネット
８４  金属板
８５  連結部材
９  他の軸筒
９１  大側壁
９２  小側壁
【図１】
2011088419.tif 000003
【図２】
2011088419.tif 000004
【図３】
2011088419.tif 000005
【図４】
2011088419.tif 000006
【図５】
2011088419.tif 000007
【図６】
2011088419.tif 000008
【図７】
2011088419.tif 000009
【図８】
2011088419.tif 000010